(57)【要約】【課題】実火器に近い操作の射撃訓練を行える射撃訓練用の模擬火器を提供する。【解決手段】尾筒部３のスライド収納室３ａにスライド７を嵌装して前方へ付勢し、スライド７にストライカ１０を前後移動可能に備えて後方へ突出させ、尾筒部３に装着した弾倉部５に圧縮ガスを収納するガス室２６とそのガス室２６をスライド収納室３ａに連通する連通孔２８を設け、その連通孔２８にタペット３７を設け、撃鉄１４がストライカ１０を打撃すると、ストライカ１０がタペット３７を押して連通孔２８を開放させ、ガス室２６の圧縮ガスによってスライド７が一時的に後退して発射反動を発生させる。【選択図】図２
2006308153.tif 000002
【特許請求の範囲】
【請求項１】
銃身部と尾筒部と銃床部を備え、引金を引くと撃鉄が撃鉄バネにより撃発位置に回動するようにしてある射撃訓練用の模擬火器において、尾筒部に弾倉部を離脱可能に装着すると共に弾倉部に対応する位置にスライド収納室を設け、スライド収納室にスライドを前後移動可能に嵌装すると共にそのスライドを復座バネによって前方へ付勢し、スライドの撃針収納部にストライカを前後移動可能に備えると共にその後端を後方へ突出させ、弾倉部に圧縮ガスを収納可能なガス室とそのガス室を撃針収納部前方でスライド収納室に連通可能な連通孔を設け、その連通孔に外向きに付勢されて連通孔を塞ぐタペットをその先端部がストライカの移動軌跡に臨むように突出させ、ストライカにタペットを押し込み可能な操作部を設け、撃鉄がストライカを打撃するとスライドが圧縮ガスによって一時的に後退して発射反動を発生させるようにした射撃訓練用の模擬火器。
【請求項２】
弾倉部に圧縮ガスボンベを交換可能に収納するボンベ収納室を設け、ボンベ収納室に収納した圧縮ガスボンベを開放してガス室に圧縮ガスを充満させるようにした請求項１記載の射撃訓練用の模擬火器。
【請求項３】
尾筒部のスライド移動軌跡下方に、スライド止めの後部を前部が上下動するように枢着し、スライド止めの中間部にスライドの撃針収納部前端に設けた切欠部に係合してスライドの前進を停止可能な係止爪を設け、弾倉部にスライド止めの前部を押し上げ可能なソレノイドを設け、ソレノイドに作動信号を送信可能な制御装置を備えた請求項１または２記載の射撃訓練用の模擬火器。
【請求項４】
撃鉄の作動回数を計数可能な検出装置を設け、検出装置が実火器の弾倉部に収納される弾数を計数したときに制御装置がソレノイドに作動信号を送信するようにした請求項１乃至３の何れかに記載の射撃訓練用の模擬火器。
【発明の詳細な説明】
【技術分野】
【０００１】
この発明は、銃身部と尾筒部と銃床部を備え、実火器のように引金を引くと撃鉄が撃鉄バネにより撃発位置に回動するようにしてある射撃訓練用の模擬火器に関する。
【背景技術】
【０００２】
従来、特許文献１、２に開示の模擬火器が知られている。これらの模擬火器では、発射反動を発生させるために模擬火器に圧縮空気ホースと電源ケーブルを接続し、模擬火器に外部から圧縮空気と電気を供給するようにしてある。また、特許文献１，２の模擬火器では、引金を引く動作によって撃発カムが前進し、その状態で模擬火器の先端部から圧縮空気を噴出させて発射反動を与えるようにしてある。
【特許文献１】特開２０００−８８４９３号公報
【特許文献２】特開２０００−８８４９４号公報
【発明の開示】
【発明が解決しようとする課題】
【０００３】
特許文献１、２の模擬火器では、模擬火器に圧縮空気ホースと電源ケーブルを接続して外部から圧縮空気と電気を供給するようにしてあるので、これらの圧縮空気ホースや電源ケーブルの剛性によって模擬火器の自由な操作が阻害され、模擬火器の取り回しに悪影響を与えたり、移動しながらの訓練が困難であるなどの問題がある。また、実火器においては、最終弾射撃後スライドの前進を停止する機構若しくは槓桿（ボルト）の操作感覚によって残弾が無いことを認識できるが、特許文献１、２の模擬火器では、前記の機構や操作感覚の変化がない。特許文献１、２の模擬火器では、制御装置が発射弾数を計数しているので、最終弾射撃後に引金を引いても射撃反動が発生しない空打ちとなるので、弾数が無いことを認識することができるが、実火器に近い射撃訓練を行えない問題があった。
【０００４】
本発明は、前記問題に鑑みてなされたもので、模擬火器に対する圧縮空気ホースや電源ケーブルの接続を無くして模擬火器の操作性を良くすると共に移動しながらの訓練を可能にし、また、最終弾射撃後に実火器のように撃鉄を起こしたコッキング状態（鈎止状態）になると共にスライド止めがスライドの前進を停止させ、実火器に近い操作の射撃訓練を行えるようにした射撃訓練用の模擬火器を提供しようとするものである。
【課題を解決するための手段】
【０００５】
本発明は、前記課題を解決するために、銃身部と尾筒部と銃床部を備え、引金を引くと撃鉄が撃鉄バネにより撃発位置に回動するようにしてある射撃訓練用の模擬火器において、尾筒部に弾倉部を離脱可能に装着すると共に弾倉部に対応する位置にスライド収納室を設け、スライド収納室にスライドを前後移動可能に嵌装すると共にそのスライドを復座バネによって前方へ付勢し、スライドの撃針収納部にストライカを前後移動可能に備えると共にその後端を後方へ突出させ、弾倉部に圧縮ガスを収納可能なガス室とそのガス室を撃針収納部前方でスライド収納室に連通可能な連通孔を設け、その連通孔に外向きに付勢されて連通孔を塞ぐタペットをその先端部がストライカの移動軌跡に臨むように突出させ、ストライカにタペットを押し込み可能な操作部を設け、撃鉄がストライカを打撃するとスライドが圧縮ガスによって一時的に後退して発射反動を発生させるようにしたことを特徴としている。
【０００６】
また、本発明は、弾倉部に圧縮ガスボンベを交換可能に収納するボンベ収納室を設け、ボンベ収納室に収納した圧縮ガスボンベを開放してガス室に圧縮ガスを充満させるようにしたことを特徴としている。
【０００７】
また、本発明は、尾筒部のスライド移動軌跡下方に、スライド止めの後部を前部が上下動するように枢着し、スライド止めの中間部にスライドの撃針収納部前端に設けた切欠部に係合してスライドの前進を停止可能な係止爪を設け、弾倉部にスライド止めの前部を押し上げ可能なソレノイドを設け、ソレノイドに作動信号を送信可能な制御装置を備えたことを特徴としている。
【０００８】
また、本発明は、撃鉄の作動回数を計数可能な検出装置を設け、検出装置が実火器の弾倉部に収納される弾数を計数したときに制御装置がソレノイドに作動信号を送信するようにしたことを特徴としている。
【発明の効果】
【０００９】
本発明は、尾筒部に離脱可能に装着した弾倉部に圧縮ガスを収納可能なガス室とそのガス室をスライド収納室に連通可能な連通孔を設け、その連通孔を塞ぐタペットをその先端部がストライカの移動軌跡に臨むように突出させ、撃鉄がストライカを打撃すると、ストライカに設けた操作部がタペットを押し込んで連通孔を一時的に開放させ、スライドが圧縮ガスによって後座して発射反動を発生するようにしたので、模擬火器にホースやコードを接続する構成を省くことができ、射撃訓練を行う際の模擬火器の操作性を実火器と同程度に良くできると共に射撃訓練の準備動作を容易にでき、しかも、移動しながらの射撃訓練にも容易に対応できる効果がある。
また、本発明は、弾倉部に圧縮ガスボンベを交換可能に収納するボンベ収納室を設け、ボンベ収納室に収納した圧縮ガスボンベを開放してガス室に圧縮ガスを充満させるようにしたので、市販の二酸化炭素ボンベ等の圧縮ガスボンベを弾倉部に装着することで弾倉部に圧縮ガスを容易に装填できる。
【００１０】
また、本発明は、尾筒部のスライド移動軌跡下方に、スライド止めの後部を前部が上下動するように枢着し、スライド止めの中間部にスライドの切欠部に係合してスライドの前進を停止可能な係止爪を設け、弾倉部にスライド止めの前部を押し上げ可能なソレノイドを設け、ソレノイドの作動によりスライド止めを押し上げてスライドの前進を停止させるようにしたので、最終弾射撃によって実火器のように撃鉄を起こしたコッキング状態にすると共にスライド止めによってスライドの前進を停止させることができ、実火器の射撃訓練と同じ感覚で模擬火器の射撃訓練を行うことができて訓練効果を良くできる。
【００１１】
また、本発明は、撃鉄の作動回数を計数可能な検出装置を設け、検出装置が実火器の弾倉部に収納する弾数を計数したときに制御装置がソレノイドに作動信号を送信するようにしたので、実火器の弾倉部に収納する弾数と同じ回数の射撃訓練を行った最終弾射撃によって、実火器と同様にスライド止めを操作してスライドの前進を停止させることができ、実火器と同じ動作感覚でもって模擬火器の射撃訓練を行うことができる利点がある。
【発明を実施するための最良の形態】
【００１２】
次に、本発明の一実施形態を示す図１〜図７の射撃訓練用の模擬火器について説明する。
模擬火器１は、実際の小火器を模して構成されており、銃身部２と尾筒部３と銃床部４を備えている。尾筒部３には、実火器と同様に弾倉部５が離脱可能に装着されている。また、尾筒部３には、実火器と同様に弾倉部５に対応する位置にスライド収納室３ａが設けてある。スライド収納室３ａにはスライド７が前後移動可能に嵌装されると共にそのスライド７が復座バネ８によって前方へ付勢されて当接部９に当接されている。スライド７の撃針収納部７ａにはストライカ１０が回り止めされた気密状態で所定量前後移動可能に嵌装され、そのストライカ１０の後端が実火器の撃針のように後方へ突出されている。ストライカ１０の回り止めと前後動規制はストライカ１０に設けた長溝１０ｂと長溝１０ｂを貫通するようにスライド７に装着した平行ピン１０ｃとで行っているが、これに限定されるものでない。ストライカ１０には、後述のタペット３７の先端部を押し込み可能な操作部１０ａが設けられている。また、スライド収納室３ａにはストライカ１０の前方部分が嵌入可能な噴射穴１９ａを有する噴射部材１９が固着されている。
【００１３】
また、尾筒部３には、実火器と同様に、弾倉部５の後方位置に引金機構１１と制限点射機構１２が装着されている。引金機構１１と制限点射機構１２は、例えば特公平５−３２６７９号公報等に開示されている従来の実火器とほぼ同様に構成されているので、ここでは簡略に示すことにする。引金機構１１の引金１３は引金バネ（図示なし）によって銃口側に付勢され、撃鉄１４は撃鉄バネ（図示なし）によって銃口側に付勢され、単発逆鈎１５は引金１３に対して所定角度回動可能に軸支されて単発逆鈎バネ（図示なし）によって銃口側に付勢され、連発逆鈎１６は連発逆鈎バネ（図示なし）によって銃尾側に回動するように付勢されている。
【００１４】
制限点射機構１２のセレクタ−ボルト１７にはセレクト切欠１７ａが設けられ、所望の切換位置に選択されている。而してセレクト切欠１７ａが安全状態に位置すると、引金１３の銃尾側に設けられている突起部１３ａがセレクト切欠１７ａに当接し、引金１３を引くことが不可能であり、撃鉄１４のコッキング段部１４ａに係合している引金１３の嘴片１３ｂがその係合を解けないので撃鉄１４をコッキング状態のままにでき、銃は安全に保持される。この場合、単発逆鈎１５も、単発逆鈎１５の銃尾側に設けられている突起部１５ｂがセレクト切欠１７ａに当接することによって回動を制され、連発逆鈎１６は、先端係止部１６ａがスライド７の係止面に当って回動を制され、両逆鈎１５、１６はともに不作動位置に位置される。
【００１５】
次に、セレクト切欠１７ａを単発操作状態に切換えると、セレクト切欠１７ａは引金１３の突起部１３ａの上昇を許すように位置する。従って引金１３を引くと引金１３が回動し、嘴片１３ｂが撃鉄１４のコッキング段部１４ａから外れ、撃鉄１４が急速に銃口方向に回動してストライカ１０を打撃し、そのストライカ１０を前方へ押し移動する。引金１３が回動すると単発逆鈎１５も引金１３に追従してセレクト切欠１７ａの側面で規制される迄回動する。一方、ストライカ１０を前方へ押し移動すると、後述するようにストライカ１０がガス室である気化室の連通孔を開放し、スライド７が圧縮ガスにより撃鉄１４を押し戻しながら復座バネ８に抗して後座した後、復座バネ８に押されて閉鎖位置に復座するが、撃鉄１４はスライド７によって押し戻される途中に撃鉄１４の鈎止片１４ｂの下端が単発逆鈎１５に当接して少し押し戻し、その後撃鉄１４が銃口側へ回動されると単発逆鈎１５の鈎止部１５ａが撃鉄１４の鈎止片１４ｂを引掛けて鈎止する。従って、引金１３を引いたままであっても次の撃発は起きず、単発発射のみで作動が停止する。引金１３を開放すると、単発逆鈎１５は引金１３の復動につれて突起部１３ａに押されて撃鉄１４の鈎止を開放するが、その直前に引金１３の嘴片１３ｂが撃鉄１４のコッキング段部１４ａに係合して撃鉄をコッキング状態で鈎止する。
【００１６】
次に、セレクト切欠１７ａを連発操作状態に切換えると、セレクト切欠１７ａは突起部１５ｂに当接して単発逆鈎１５の上昇回動を阻止するように位置する。従って、引金１３は作動可能なるも単発逆鈎１５はセレクタ−ボルト１７に当って作動不能であり、連発逆鈎１６はスライド８の係止面に当って不作動位置となっている。引金１３を引くと、撃鉄１４のコッキング状態を解放して撃発を行ない、スライド７が後座を始めると連発逆鈎１６の先端部がスライド７の溝７ｂ（図３参照）内に入り込んで連発逆鈎１６の作動位置に回動する。後座したスライド７が復座を開始すると、その途中でスライド７が撃鉄１５の押圧を解放し、撃鉄１５がスライド７に追従して回動せんとするが、連発逆鈎１６の鈎止片１６ｂがコッキング段部１４ａに係合し、撃鉄１５を鈎止してコッキング状態にする。スライド７が復座を続けて閉鎖を行なうと、その直後に連発逆鈎１６の先端部がスライド７の溝７ｂ（図３参照）の端部に引掛けられて引戻され、不作動位置に回動されて鈎止片１６ｂがコッキング段部１４ａから外れ、撃鉄１５が再度回動して撃発を行ない、以上の動作を引金１３が引かれている間繰返して連発発射を行なう。
【００１７】
次に、尾筒部３には、スライド７の移動軌跡下方に位置するスライド止め２０の後部が枢着され、そのスライド止め２０の前部が上下動可能に配設されている。スライド止め２０には、その中間部上側にスライド７の撃針収納部７ａの前端に設けられている切欠部２１に係合してスライド７の前進を停止可能な係止爪２２が設けられている。スライド止め２０は、その先端部がスライド移動軌跡から遠ざかる方向へバネ２３によって付勢されている。スライド止め２０の先端部は、弾倉部５の銃尾側上端部に設けた切欠溝５ａに配置され、弾倉部５に設けた後述のソレノイド４０によって押し上げ可能になっている。
【００１８】
次に、弾倉部５には、圧縮ガスボンベ２５を交換可能に収納するボンベ収納室２６と、ボンベ収納室２６に連通されてボンベ収納室２６内の圧縮ガスボンベ２５の圧縮ガスを充満可能な気化室２７と、その気化室２７を撃針収納部７ａの前方でスライド収納室３ａに連通可能な連通孔２８とが設けられている。ボンベ収納室２６と気化室２７は、圧縮ガスを充満させておくガス室を構成しているが、気化室２７を省いてボンベ収納室２６のみでガス室を構成しても良い。ボンベ収納室２６には、気密な閉鎖状態において、収納した圧縮ガスボンベ２５を開放して気化室に圧縮ガスを充満させ得る穴明け機能と内部の圧縮ガスをリリース可能なガスリリース機能を備えた蓋部材３０が着脱可能に装着されている。気化室２７はボンベ収納室２６と連通しており、蓋体２７ａによって閉鎖されている。
連通孔２８には、弁孔３１と内向きに広がる弁座３２を有する弁座体３３と弁座体３３に対峙しているバネ受体３４が固定的に配置されている。弁座体３３の先端部は噴射部材１９の側壁に設けた孔に嵌合し、弁孔３１が噴射部材１９の噴射穴１９ａに開口している。弁孔３１には弁座３２に当接可能な弁体３５を中間部に備えたタペット３７が嵌挿され、弁体３５とバネ受体３４の間に介在されたバネ３８によって外向きに付勢され、その結果、弁体３５が弁座３２に当接されて弁孔３１即ち連通孔２８を閉塞し、タペット３７の先端部は噴射穴１９ａに突出してストライカ１０の移動軌跡に臨むように位置されている。
タペット３７は、撃鉄１４がストライカ１０を打撃すると、ストライカ１０の操作部１０ａによって一時的に押し込められ、タペット３７の弁体３５が弁座３２から離れて弁孔３１を一時的に開放し、その結果、気化室２７の圧縮ガスがスライド収納室３ａに噴出し、スライド７を実火器と同様に復座バネ８に抗して後座させて発射反動を発生させ、その後スライド７が復座バネ８によって復座するようになっている。圧縮ガスボンベ２５としては、市販の二酸化炭素ボンべを用いると便利であるが、これに限定されるものではない。
【００１９】
また、弾倉部５には、スライド止め２０と対応する切欠溝５ａの位置に、スライド止め２０の先端部を押し上げ可能なソレノイド４０が内蔵されている。ソレノイド４０は、通常はプランジャ４０ａが没入状態に位置されてスライド止め２０の先端部を非作動位置に位置させているが、撃鉄１４が実火器の弾倉部に装填される弾丸数と同数回の撃発動作を行ったことを適宜の検出装置（図２では撃鉄１４に埋設した磁石４２を尾筒部５に設けた近接スイッチ４３によって検出するようになっている）によって検出すると、スライド７が後退している間に、銃床部４内に設けた制御基板や信号送信基板などから成る制御装置４５からの作動信号によって突出状態に作動され、プランジャ４０ａがスライド止め２０の先端部を一時的に作動位置に押し上げ、その結果、スライド止め２０の係止爪２２がスライド７の切欠部２１に係合してスライド７の前進を停止させ、射撃動作を停止させる。ソレノイド４０のプランジャ４０ａはその後非作動位置に位置されるが、スライド止め２０の係止爪２２がスライド７の切欠部２１に係合した状態が保持される。
なお、銃身部２には、ソレノイド４０や制御装置４５や検出装置等を作動させる為の適宜な電池４７が内蔵されている。ソレノイド４０や制御装置４５や検出装置等の信号の送信は有線で行っても良いし無線で行っても良い。
【００２０】
次に、前記射撃訓練用の模擬火器を用いて例えば連発発射による射撃訓練を行う動作について説明する。
射撃訓練に先立って、尾筒部３から弾倉部５を取外した状態で、弾倉部５のボンベ収納室２６に圧縮ガスボンベ２５を挿入して蓋部材３０を取付け、蓋部材３０の穴明け機能を利用して圧縮ガスボンベ２５を開放し、圧縮ガスボンベ２５の圧縮ガスをボンベ収納室２６及び気化室２７に充満させる。その後、弾倉部５を尾筒部３に装着して射撃訓練を開始する。
射撃訓練は、例えば、セレクト切欠１７ａを連発操作状態に切換えた後、図６の（Ａ）に示す状態で、引金１３を引くと、嘴片１３ｂが撃鉄１４のコッキング段部１４ａから外れ、撃鉄１４が図６の（Ｂ）に示すように銃口方向に回動してストライカ１０を打撃し、そのストライカ１０を前方へ押し移動する。ストライカ１０が前方へ移動されると、ストライカ１０の操作部１０ａがタペット３７を一時的に押し込み、タペット３７の弁体３５を弁座３２から離して弁孔３１を開放する。その結果、気化室２７の圧縮ガスが噴射部材１９の噴射穴１９ａに噴出してストライカ１０を後退させた後スライド収納室３ａに噴出し、その圧縮ガスによってスライド７を図６の（Ｃ）に示すように実火器と同様に復座バネ８に抗して後座させて発射反動を発生させる。スライド７が圧縮ガスによって後座されると、ストライカ１０によるタペット３７の押し込みが解除され、弁体３５が弁座３２に当接して弁孔３１を閉鎖する。その後、スライド７が復座バネ８によって復座されるが、引金１３を引いたままの状態であれば、前記連発逆鈎１６の機能により復座直後に再び撃鉄１４が撃発動作を行ってストライカ１０を前方へ移動させ、以後前記動作を繰り返し、実火器とほぼ同様の射撃訓練動作を行うことができる。
【００２１】
次に、スライド７が復座位置に閉鎖されている状態では、スライド止め２０は、図７の（Ａ）に示すようにスライド７の移動軌跡の下方に位置されている。その後、前記撃鉄１４による撃発動作の回数が検知装置である近接スイッチ４３（図２参照）によって計数されて制御装置４５に送信され、撃鉄１４の撃発動作回数が実火器の弾倉部に装填される弾丸数（例えば３０発）と同数回になったことを制御装置４５が確認すると、図７の（Ｂ）に示すように、スライド７が後退している間に、制御装置４５がソレノイド４０に作動信号を送ってソレノイド４０を作動させ、ソレノイド４０のプランジャ４０ａを突出状態に作動させてスライド止め２０の先端部を一時的に作動位置に押し上げる。その結果、図７の（Ｃ）に示すように、スライド７が復座バネ８によって復座される途中でスライド止め２０の係止爪２２がスライド７の切欠部２１に係合してスライド７の前進を停止させ、射撃動作を停止させる。この動作は、実火器において弾倉部内の弾丸が無くなったときにスライド止めがスライド７の復座を停止させるのと同様である。その後，ソレノイド４０のプランジャ４０ａが没入位置に位置されるが、スライド止め２０の係止爪２２がスライド７の切欠部２１に係合した状態が保持される。なお、実火器と同様に、スライド７を復座位置に閉鎖させるためにボルト操作によってスライド７を一時的に後座させると、スライド止め２０の係止爪２２がスライド７の切欠部２１から外れてスライド止め２０が非作動位置に復帰される。
【図面の簡単な説明】
【００２２】
【図１】本発明の一実施形態を示す模擬火器の全体図である。
【図２】図１の主要部分を拡大して示す断面図である。
【図３】図２のスライドを示す斜視図である。
【図４】図２の弾倉部を示す斜視図である。
【図５】図２のスライド止めとスライドと弾倉部の関係を示す斜視図である。
【図６】スライドの作動を示す説明図である。
【図７】スライド止めの作動を示す説明図である。
【符号の説明】
【００２３】
１    模擬火器
２    銃身部
３    尾筒部
３ａ  スライド収納室
４    銃床部
５    弾倉部
７    スライド
７ａ  撃針収納部
８    復座バネ
１０    ストライカ
１０ａ  操作部
１３    引金
１４    撃鉄
２０    スライド止め
２１    切欠部
２２    係止爪
２６    ボンベ収納室（ガス室）
２７    気化室（ガス室）
２８    連通孔
３７    タペット
４０    ソレノイド
４３    近接スイッチ（検出装置）
４５    制御装置
【図１】
2006308153.tif 000003
【図２】
2006308153.tif 000004
【図３】
2006308153.tif 000005
【図４】
2006308153.tif 000006
【図５】
2006308153.tif 000007
【図６】
2006308153.tif 000008
【図７】
2006308153.tif 000009